(57)【要約】      （修正有）【課題】電界強度の変化を表示可能なＮＦＣカードアクセス装置を提供する。【解決手段】電界強度の変化を表示可能なＮＦＣカードアクセス装置は、ＮＦＣ電界強度を感知するセンサー３０とＮＦＣ電子タグ（ＴＡＧ）２０を組み合わせ、センサー３０とＮＦＣ電子タグ２０が、それぞれ独立して作動するという前提下で、センサー３０のＮＦＣ電界強度指示回路モジュール３３を利用し、電界強度の変化を探知し、ＬＥＤライト４０の発光輝度により電界強度を示し、アクセスが成功したか否かを提示し、カードアクセスモジュールは無電源式設計で、ＮＦＣ  ＲＥＡＤＥＲの電界を利用して電力を提供するため、安全であるだけでなく、エネルギーを節減でき環境に負荷をかけることがない。【選択図】図１
0003212883.tif 000002
【実用新案登録請求の範囲】
【請求項１】
電界強度の変化を表示する変化のＮＦＣカードアクセス装置であって、回路板、前記回路板上に取り付けられるＮＦＣ電子タグ、前記ＮＦＣ電界強度を探知できるセンサー、及び電界強度の変化に応じて輝度が変化するＬＥＤライトを有し、
前記ＮＦＣ電子タグとセンサーとは、相互に連接し、
前記センサーは、順番に連接するアンテナ結合対応コイル回路モジュール、整流電圧ダブルフィルター回路モジュール、ＮＦＣ電界強度指示回路モジュールを有し、前記ＮＦＣ電界強度指示回路モジュールとＬＥＤライトとは、相互に連接する
ことを特徴とする、
電界強度の変化を表示する変化のＮＦＣカードアクセス装置。
【考案の詳細な説明】
【技術分野】
【０００１】
本考案はＲＦＩＤの領域技術に関し、特に電界強度の変化を表示可能なＮＦＣカードアクセス装置に関する。
【背景技術】
【０００２】
ＲＦＩＤ識別技術は、非接触式自動識別システムであり、ＲＦＩＤ方式を利用し、リーダーとＮＦＣ電子タグとの間で、非接触式の双方向データ伝送を行い、テーゲットの識別或いはデータ交換等の目的を達成するものである。
ＲＦＩＤシステムは、非接触性、無方形性、寿命が長い、安全性と耐候性が高い等の特性を有するため、倉庫トランシーバー及び物流管理、自動車盗難防止セキュリティシステム、動物自動化管理、自動料金徴収システム或いは商品品質管理等の自動化システム或いは劣悪な環境への応用に適している。
【０００３】
既存のＮＦＣカードアクセス装置は、通常は音声を利用して、カードアクセス成功を提示するが、耳が不自由なユーザーなどは、カードアクセス成功の提示音を聞き取ることができず、使用に不便を来たしている。
【考案の概要】
【考案が解決しようとする課題】
【０００４】
前記先行技術には、音声を利用してカードアクセス成功を提示するため、耳が不自由なユーザーがカードアクセス成功の提示音を聞き取れず、使用に不便を来たしているという欠点がある。
【課題を解決するための手段】
【０００５】
本考案はセンサーとＮＦＣ電子タグ（ＴＡＧ）を組み合わせることで、センサーが電界強度の変化を探知し、ＬＥＤライトの発光輝度により電界強度を示し、アクセスが成功したか否かを提示し、カードアクセスの利便性を高めることができる電界強度の変化を表示する変化のＮＦＣカードアクセス装置に関する。
【０００６】
本考案による電界強度の変化を表示する変化のＮＦＣカードアクセス装置は、回路板、回路板上に取り付けられる回路板上のＮＦＣ電子タグ、ＮＦＣ電界強度を探知できるセンサー、及び電界強度の変化に応じて輝度が変化するＬＥＤライトを有する。
該ＮＦＣ電子タグとセンサーとは、相互に連接する。
該センサーは、順番に連接するアンテナ結合対応コイル回路モジュール、整流電圧ダブルフィルター回路モジュール、ＮＦＣ電界強度指示回路モジュールを有する。
該ＮＦＣ電界強度指示回路モジュールとＬＥＤライトとは、相互に連接する。
【０００７】
本考案と既存の技術とを比較すると、以下の効果を有する。
ＮＦＣ電界強度を感知するセンサーとＮＦＣ電子タグ（ＴＡＧ）を組み合わせ、センサーとＮＦＣ電子タグが、それぞれ独立して作動するという前提下で、センサーのＮＦＣ電界強度指示回路モジュールを利用し、電界強度の変化を探知し、ＬＥＤライトの発光輝度により電界強度を示し、アクセスが成功したか否かを提示し、カードアクセスの利便性を高めることができる。
【０００８】
さらに、該カードアクセスモジュールは無電源式設計で、ＮＦＣ  ＲＥＡＤＥＲの電界を利用して電力を提供するため、安全であるだけでなく、エネルギーを節減でき環境に負荷をかけることがない。
【図面の簡単な説明】
【０００９】
【図１】本考案のカードアクセス装置の原理模式図である。
【図２】本考案のカードアクセス装置のＮＦＣ  ＲＥＡＤＥＲ上における操作状態を示す模式図である。
【考案を実施するための形態】
【００１０】
（一実施形態）
図１、図２に示す通り、電界強度の変化を表示可能なＮＦＣカードアクセス装置は、回路板１０、回路板１０上に取り付けられるＮＦＣ電子タグ２０、ＮＦＣ電界強度を探知できるセンサー３０及び電界強度の変化に応じて輝度が変化するＬＥＤライト４０を有する。
【００１１】
ＮＦＣ電子タグ２０とセンサー３０とは、相互に連接する。
ＮＦＣ電子タグ２０（ＴＡＧ）は、公知のＩＳＯ１４４４３Ａ、ＩＳＯ１４４４３Ｂ、ＦｅｌｉＣａ、ＩＳＯ１４４４３Ｂ、Ｍｉｒｆａｒｅ等、１３．５６ＭＨｚ周波数を使用するあらゆるＮＦＣ電子タグ（ＴＡＧ）を含む。
【００１２】
センサー３０は、接着或いは圧合技術を採用し、ＮＦＣ電子タグ２０と結合する。
センサー３０は、順番に連接するアンテナ結合対応コイル回路モジュール３１、整流電圧ダブルフィルター回路モジュール３２、ＮＦＣ電界強度指示回路モジュール３３を有する。
【００１３】
ＬＥＤライト４０とＮＦＣ電界強度指示回路モジュール３３とは、相互に連接する。
【００１４】
本考案の作動原理は、以下の通りである。
カードアクセスモジュールが、ＮＦＣ  ＲＥＡＤＥＲに対してカードアクセス操作を行う時、ＮＦＣ電界強度指示回路モジュール３３は、ＮＦＣ  ＲＥＡＤＥＲの電界強度変化を探知でき、ＬＥＤライト４０の発光輝度を直接効果的にコントロールでき、ＬＥＤライト４０発光輝度の明暗変化は、電界強度の強弱に従い変化し、こうして電界強度をさらに直接効果的に表示することができる。
カードアクセスモジュールは無電源製品で、しかもＮＦＣ電界とＬＥＤライト４０の特性に対して設計され、ＬＥＤライトはその作動条件内で確実に正常に作動し、ＮＦＣ電子タグ２０（ＴＡＧ）を損壊することなく、もともと有する特性を保有することができる。
【００１５】
本考案の設計の重点は以下の通りである。
ＮＦＣ電界強度を感知するセンサーとＮＦＣ電子タグ（ＴＡＧ）を組み合わせ、センサーとＮＦＣ電子タグが、それぞれ独立して作動するという前提下で、センサーのＮＦＣ電界強度指示回路モジュールを利用し、電界強度の変化を探知し、ＬＥＤライトの発光輝度により電界強度を示し、アクセスが成功したか否かを提示し、カードアクセス利便性を高めることができる。
カードアクセスモジュールは無電源式設計で、ＮＦＣ  ＲＥＡＤＥＲの電界を利用して電力を提供するため、安全であるだけでなく、エネルギーを節減でき環境に負荷をかけることがない。
【００１６】
前述した本考案の実施形態は本考案を限定するものではなく、よって、本考案により保護される範囲は後述される実用新案登録請求の範囲を基準とする。
【符号の説明】
【００１７】
１０  回路板、
２０  ＮＦＣ電子タグ、
３０  センサー、
３１  アンテナ結合対応コイル回路モジュール、
３２  整流電圧ダブルフィルター回路モジュール、
３３  ＮＦＣ電界強度指示回路モジュール、
４０  ＬＥＤライト、
５０  ＮＦＣ  ＲＥＡＤＥＲ。
【図１】
0003212883.tif 000003
【図２】
0003212883.tif 000004